(57)【特許請求の範囲】
【請求項１】
複数の燃料電池セルを立設させた状態で配列して電気的に接続してなり、該燃料電池セルの一端部側で発電に使用されなかった燃料ガスを燃焼させる構成のセルスタックと、該セルスタックの一端部側に離間して配置された水蒸気改質を行なう改質器と、を備えるセルスタック装置であって、
前記改質器が、
前記燃料電池セルの配列方向における一方側に配置され、外部から供給される水を気化させるための気化室と、
改質触媒を備え、前記気化室を介して供給される原燃料ガスを前記燃料電池セルの配列方向における他方側へ向けて流すとともに、前記改質触媒と接触させて前記燃料ガスに改質する第１改質室と、
前記気化室および前記第１改質室の下方に接して配置され、前記第１改質室から供給される前記燃料ガスを前記燃料電池セルの配列方向における他方側から一方側に向けて流す昇温室とを、備え、
前記気化室の下面が露出するように前記昇温室を貫通して設けられたくりぬき部を有することを特徴とするセルスタック装置。
【請求項２】
前記昇温室は、前記改質触媒を備え、第２改質室を兼ねていることを特徴とする請求項１に記載のセルスタック装置。
【請求項３】
前記改質器に前記くりぬき部が複数設けられていることを特徴とする請求項１または２に記載のセルスタック装置。
【請求項４】
請求項１乃至請求項３のいずれかに記載のセルスタック装置を収納容器内に収納してなることを特徴とする燃料電池モジュール。
【請求項５】
請求項４に記載の燃料電池モジュールと、前記セルスタック装置を作動させるための補機とを、外装ケース内に収納してなることを特徴とする燃料電池装置。
【発明の詳細な説明】
【技術分野】
【０００１】
本発明は、セルスタック装置、燃料電池モジュールおよび燃料電池装置に関する。
【背景技術】
【０００２】
近年、次世代エネルギーとして、燃料ガス（水素含有ガス）と空気（酸素含有ガス）とを用いて電力を得ることができる燃料電池セルを複数個配列してなるセルスタックと、該セルスタックに供給する燃料ガスを生成するための改質器とを備え、燃料電池セルの一端部側で発電に使用されなかった燃料ガスを燃焼させる構成のセルスタック装置や、該セルスタック装置を収納容器内に収納してなる燃料電池モジュールが種々提案されている（例えば、特許文献１参照。）。
【０００３】
また、改質器を加熱するためのバーナを有し、気化器と、改質器とが固体酸化物系燃料電池とバーナとの間に配置され、改質器が第１改質室と、第１改質室の下方に接して配置された第２改質室とを有し、改質器の内部を流れるガスが折り返す構造の改質器を有した燃料電池が知られている（例えば、引用文献２参照。）。
【０００４】
このような燃料電池においては、バーナを用いて気化器とおよび改質器を加熱する構成のため、バーナを燃料電池に備える必要があり、燃料電池の構成が複雑になるという問題があった。
【０００５】
そこで、バーナを用いずに気化器および改質器と燃料電池セルとの間で余分な燃料を燃焼させ、その燃焼熱により気化器および改質器を温める構成の燃料電池が知られている。
【先行技術文献】
【特許文献】
【０００６】
【特許文献１】特開２００７−０５９３７７号公報
【特許文献２】特開２００７−１７９８８４号公報
【発明の概要】
【発明が解決しようとする課題】
【０００７】
しかしながら、上記した改質器と燃料電池セルとの間で燃焼させる構成の燃料電池の場合、燃料電池セルと気化室との間に第２改質室があるため、燃焼熱によって気化室を直接温めることができないため、温度の低い原燃料を十分に温めることができない。そのため、十分に改質が行なわれず発電効率を高めることができないといった問題があった。
【課題を解決するための手段】
【０００８】
本発明のセルスタック装置は、複数の燃料電池セルを立設させた状態で配列して電気的に接続してなり、燃料電池セルの一端部側で発電に使用されなかった燃料ガスを燃焼させる構成のセルスタックと、セルスタックの一端部側に離間して配置された水蒸気改質を行なう改質器と、を備えるセルスタック装置である。また、改質器は、燃料電池セルの配列方向における一方側に配置され、外部から供給される水を気化させるための気化室と、改質触媒を備え、気化室を介して供給される原燃料ガスを燃料電池セルの配列方向における他方側へ向けて流すとともに、改質触媒と接触させて燃料ガスに改質する第１改質室と、気化室および第１改質室の下方に接して配置され、第１改質室から供給される燃料ガスを前記燃料電池セルの配列方向における他方側から一方側に向けて流す昇温室とを備える。また、改質器は、気化室の下面が露出するように昇温室を貫通して設けられたくりぬき部を有する。
【０００９】
また、本発明の燃料電池モジュールは、上記のセルスタック装置を収納容器内に収納してなる。
【００１０】
また、本発明の燃料電池は、上記の燃料電池モジュールと、上記のセルスタック装置を作動させるための補機とを、外装ケース内に収納してなる。
【発明の効果】
【００１１】
本発明によれば、温度の低い原燃料を効果的に温めることができ、発電効率の向上したセルスタック装置を提供することができる。
【図面の簡単な説明】
【００１２】
【図１】本発明のセルスタック装置の一実施形態を示す外観斜視図である。
【図２】図１に示すセルスタック装置を構成する改質器の斜視図である。
【図３】図１に示すセルスタック装置を構成する改質器を示す図であり、（ａ）は断面図、（ｂ）は改質器を裏面側から見た底面図である。
【図４】本発明のセルスタック装置の他の実施形態を構成する改質器を示す図であり、（ａ）は断面図、（ｂ）は改質器を裏面側から見た底面図である。
【図５】本発明のセルスタック装置のさらに他の実施形態を構成する改質器を示す図であり、（ａ）は斜視図、（ｂ）は改質器を裏面側から見た底面図である。
【図６】本発明の燃料電池モジュールの一実施形態を示す外観斜視図である。
【図７】図６に示す燃料電池モジュールの断面図である。
【図８】本発明の燃料電池装置の一実施解体を示す構成図である。
【発明を実施するための形態】
【００１３】
図１を用いてセルスタック装置１を説明する。なお、図１については改質触媒を省略して示している。
【００１４】
図１に示すセルスタック装置１は、内部に燃料ガス流路を有する燃料電池セル２を複数個立設させた状態で、燃料電池セル２間に集電部材（図示せず）を介して電気的に直列に接続してなるセルスタック３を備えている。また、セルスタック３を構成する燃料電池セル２の下端部を燃料電池セル２に燃料ガスを供給するためのガスタンク４に、絶縁性の接着材により固定されており、燃料電池セル２で発電した電流を外部に引出すための引出部６を備えた導電部材５が、セルスタック３を両端から挟持している。
【００１５】
セルスタック３の上方に、セルスタック３と離間して改質器が配置されている。改質器は、燃料電池セル３の配列方向（以下、セル配列方向と略す場合がある。）における一方側に配置され、外部から供給される水を気化させるための気化室８と、改質触媒を備え、気化室を介して供給される原燃料ガスをセル配列方向の他方側へ流すとともに、改質触媒と接触させて燃料ガスに改質する第１改質室９と、気化室８および第１改質室９の下方に接して配置され、第１改質室９から供給される燃料ガスを改質器７のセル配列方向における他方側から一方側に向けて流す昇温室１０とを備えている。
【００１６】
ここで、燃料電池セル２としては、内部を燃料ガス（水素含有ガス）が燃料電池セル２の長手方向に流れる燃料ガス流路を有する中空平板状で、支持体の表面に、燃料側電極層、固体電解質層および酸素側電極層を順に設けてなる固体酸化物形の燃料電池セル２を例示している。
【００１７】
また、セルスタック装置１は、燃料電池セル２の一端部側（上端部側）において、燃料
電池セル２の発電に使用されなかった燃料ガスを燃焼させる構成とされている。セルスタック１は、燃焼により生じた熱（以下、燃焼熱と略す場合がある。）により、改質器７（気化室８、第１改質室９および昇温室１０）の温度を効率よく上昇させることができる。
【００１８】
気化室７を介して供給された原燃料ガスは、気化室７に接した状態で連続して設けられた第１改質室９に供給される。第１改質室９の内部には原燃料ガスを燃料ガスに改質するための改質触媒が備えられており、原燃料ガスは、セル配列方向の一方側から他方側に向けて燃焼ガスに改質されながら流れることとなる。改質器７のセル配列方向の他方側端部まで流れた燃料ガスは、第１改質室９の下方に接して配置された昇温室１０へ流入し、昇温室１０内をセル配列方向の他方側から一方側へ流れることとなる。昇温室１０を流れる燃料ガスは、燃焼熱により温められ、改質器の一方側に設けられた燃料ガス供給管１２を介してガスタンク４に供給されることとなる。
【００１９】
気化室８、第１改質室９および昇温室１０は図１に示すように仕切板１３により仕切られている。仕切板１３は通気性のある板を用いることができ、例えば多孔質の板や金属メ
ッシュ等を用いることができる。なお、図示していないが、気化室８にはセラミックボール等を備えてもよい。それにより、水蒸気改質を行なう場合には、水を効率よく水蒸気に気化させることができる。また、上述した仕切板１３を設けることにより、セラミックボールや後述する改質触媒の移動を低減することができる。
【００２０】
第１改質室に備える改質触媒は、改質効率や耐久性に優れた改質触媒を用いることができ、例えば、γ−アルミナ、α−アルミナまたはコージェライト等の多孔質担体にＲｕ、Ｐｔ等の貴金属やＮｉ、Ｆｅ等の卑金属を担持させた改質触媒等を用いることができる。
【００２１】
燃料ガス(水素含有ガス)に改質される原燃料としては、都市ガス等の炭化水素系ガスや灯油等の液体燃料があげられる。原燃料として炭化水素系ガス等の気体燃料を用いた場合には、原燃料ガスは炭化水素系ガスを意味し、気化室８において、温度の上昇した原燃料ガス（炭化水素系ガス）とすることができる。
【００２２】
燃料ガスの改質方法としては、原燃料ガスと水蒸気とを反応させる水蒸気改質法や、原燃料ガスを改質触媒とを反応させる部分酸化改質法を挙げることができるが、水蒸気改質法を用いることにより、効率よく燃料ガス（水素含有ガス）を生成することができる。
【００２３】
図２を用いて、改質器７についてさらに説明する。図２は改質器７を裏面側からみた斜視図である。
【００２４】
改質器７は、気化室８の側面中央部に原燃料供給管１１が接続されており、気化室８の原燃料供給管１１が接続されていない側面に第１改質室９が配置されており、気化室８と第１改質室９の下面（図２においては上面）に接する状態で昇温室１０が配置されている。昇温室１０の気化室側の下面に燃料ガス供給管１２が接続されており、燃料ガスをガスタンク４に供給している。
【００２５】
上述したように、セルスタック装置１はセルスタック２の上方、つまりセルスタック２と改質器７との間の領域（燃焼領域）で発電に使用されなかった燃料ガスを燃焼させる構成となっている。図２に示すように、改質器７は、昇温室１０を貫通するようにくりぬき部１４が設けられており、裏面から見ると気化室８の下面が外部に露出した状態となっている。それにより、気化室８が燃焼領域に曝されることとなり、気化室８に燃焼熱を効果的に供給することができる。そのため、気化室８にて温度の低い原燃料を原燃料ガスに温
めることができる。特に、水蒸気改質法により燃料ガスを生成する場合、水蒸気改質法は吸熱反応のため、温度の上昇した原燃料ガスを供給することにより効率のよい改質を行なうことができる。
【００２６】
また、昇温室８を貫通するようにくりぬき部１４が設けられていることから、昇温室８の表面積を増加させることができ、昇温室８にさらに燃焼熱を供給することができる。それにより、昇温室を流れるガスに、燃焼熱を供給することができ、ガスタンク４に温度の上昇した燃料ガスを供給することができ、セルスタック装置１の発電効率を向上させることができる。
【００２７】
改質器７は、例えば箱状の部材を溶接して作製することができる。くりぬき部１４はプレス成形により作製することができ、また、気化室８、第１改質室９および昇温室１０とを別部材として作製した後に溶接して作製することもできる。なお、プレス成形により作製することで容易に改質器７を作製することができる。
【００２８】
なお、くりぬき部１４は気化室８に対応する大きさを昇温室１０に設けることが好ましい。つまり気化室８の下面が完全に露出することが気化室８に熱を供給する点で好ましいが、改質器から燃料ガス供給管１２に燃料ガスを供給するため、改質器７の端部に設けられた燃料ガス供給管１２に、燃料ガスが流れるように適宜くりぬき部１４を設ける必要がある。
【００２９】
図３を用いて、改質器７の内部における各種ガス（原燃料ガスまたは燃料ガス）の流れについて説明する。なお、図３（ａ）、（ｂ）に示す矢印は改質器７の内部を流れる各種ガスの流れを示す。
【００３０】
原燃料供給管１１より供給された原燃料は、気化室８を第１改質室９に向けて流れ、改質触媒１７によって改質されながら第１改質室９を気化室８と逆側に向けて流れる。改質器７の端部に流れた燃料ガスは昇温室１０に向けて下方に流れる。昇温室１０内を流れる燃料ガスは燃焼熱により温められながら、気化室８側に設けられた燃料ガス供給管１２に向けて流れることとなる。
【００３１】
くりぬき部１４における燃料ガスの流れは、図３（ｂ）に示すように、くりぬき部１４の周囲に沿って流れることとなる。そして、くりぬき部１４の周囲に沿って流れた燃料ガスは、くりぬき部１４に接する昇温室１０を流れる際に燃焼領域から燃焼熱を供給され、さらに温度の上昇した燃料ガスとなってガスタンク４に供給される。
【００３２】
それにより、セルスタック装置１に温度の上昇した燃料ガスを供給することができ、発電効率を向上させることができる。
【００３３】
図４を用いて、本発明のセルスタック装置の他の実施形態である改質器１５について説明する。なお、以降の図において同一の部材については同一の番号を付するものとする。また、図４（ａ）、（ｂ）に示す矢印は改質器１５の内部を流れる各種ガスの流れを示す。
【００３４】
改質器１５は昇温室１０が改質触媒１７を備え第２改質室１６になっており、第1改質
室９および第２改質室１６の間には仕切板１３が設けられていない。その他の構成は改質器７と同様である。改質器１５は、第１改質室９の下方に第２改質室１６が設けられており、改質器１５を流れる各種ガス（燃料ガスおよび原燃料ガス）の流れ方向の第１改質室９の下流に第２改質室１６が設けられている構成となっている。そのため、第１改質室で改質反応が十分に行なわれなかった場合においても、第２改質室１６にて改質反応を十分
に行なうことができる。
【００３５】
図４を用いて改質器１５の内部の各種ガスの流れについて説明する。原燃料供給管１１より供給された原燃料は、気化室８を第１改質室９に向けて流れ、改質触媒１７によって改質されながら第１改質室９を気化室８と逆側に向けて流れる。改質器１５の端部に流れた燃料ガスまたは原燃料ガスは第２改質室１６に向けて下方に流れる。ここで、燃料ガスまたは原燃料ガスが下方に向けて流れることから、確実に燃料ガスまたは原燃料ガスを改質触媒１７に接触させることができる。第２改質室１６内を流れる燃料ガスは燃焼熱により温められながら、気化室８側に設けられた燃料ガス供給管１２に向けて流れることとなる。また、第２改質室１６内を流れる原燃料ガスは、燃料ガスに改質されながら燃料ガス供給管１２に向けて流れることとなる。図４（ｂ）に示すように、燃料ガスは、くりぬき部１４に接する第２改質室１６を流れる際に燃焼領域から燃焼熱を供給され、さらに温度の上昇した燃料ガスとなってガスタンク４に供給される。
【００３６】
なお、図４ではくりぬき部１４の周囲には改質触媒１７を備えていない例を示したが、くりぬき部１４の周囲にも改質触媒１７を備えていてもよい。それにより、原燃料ガスがガスタンク４に供給されることを低減することができる。
【００３７】
図５を用いて本発明のセルスタック装置のさらに他の実施形態を構成する改質器１８を説明する。なお、図５（ｂ）においても、矢印は改質器１８を流れる各種ガスの流れを示す。
【００３８】
図５に示す改質器１８は、昇温室１９に複数のくりぬき部２０が設けられており、その他の構成は改質器１８と同様である。改質器１８は、セル配列方向に沿ったくりぬき部２０を燃料電池セル２の幅方向に複数設けられている。くりぬき部２０が複数設けられていることから、昇温室１９を流れる各種ガスを燃焼熱によりさらに温めることができ、高温の燃料ガスをガスタンク４に供給することができる。それにより、セルスタック装置１の発電効率を向上させることができる。
【００３９】
また、くりぬき部２０がセル配列方向に沿って設けているため、昇温室１９内を流れる各種ガスの流れを妨げにくくなっている。それにより、昇温室１９内で各種ガスの滞留を低減することができる。
【００４０】
図６は、収納容器３１内に、上述したセルスタック装置１を収納してなる本発明の燃料電池モジュール３０（以下、モジュールという場合がある。）の一例を示す外観斜視図である。なお、セルスタック装置１としては、改質器７を取り外した状態を示している。
【００４１】
また、図６に示すモジュール３０においては、収納容器３１の一部（前後面）を取り外し、内部に収納されるセルスタック装置１（図６においては改質器６を取りはずして示している）を後方に取り出した状態を示している。以下に、モジュール３０を構成する収納容器３１について説明する。
【００４２】
図７は、モジュール３０の一例を概略的に示す断面図である。モジュール３０を構成する収納容器３１は、外壁３２にて収納容器３１の外枠が形成され、内部に燃料電池セル２（セルスタック３）を収納する発電室４９が形成されている。
【００４３】
このような収納容器３１においては、セルスタック３を構成する燃料電池セル２の配列方向に沿う側部と、該側部に対向する収納容器３１の外壁との間に、空気や排ガスを流すための流路を備えている。
【００４４】
ここで、収納容器３１は、外壁３２の内側に所定間隔をあけて第１の壁３３が形成されており、第１の壁３３の内側に所定間隔をあけて第２の壁３４が配置されており、さらに第２の壁３４の内側に所定間隔をあけて第３の壁３５が配置されている。
【００４５】
それにより、外壁３２と第１の壁３３とで形成された空間が第１の収納容器流路３６となり、第２の壁３４と第３の壁３５とで形成された空間が第２の収納容器流路３７となり、第１の壁３３と第２の壁３４とで形成された空間が第３の収納容器流路３８となる。
【００４６】
なお、図７に示した収納容器３１においては、第１の壁３３の上端部が第２の壁３４に接続されており、第２の壁３４が収容容器３１の上壁（外壁３２）と接続されており、第３の壁３５の上端部が第２の壁３４と接続されている。
【００４７】
また、収納容器３１の底部には、空気（酸素含有ガス）を収納容器３１内に供給するための空気供給管３９が接続されており、空気供給管３９より供給される空気は空気導入部４０に流れる。空気導入部４０は空気導入口４１により第１の終了容器流路３６とつながっているため、空気導入部４０を流れる空気は、空気導入口４１を通して、第１の収納容器流路３６に流れる。第１の収納容器流路３６を上方に向けて流れた空気は、第２の壁３４に設けられた空気流通口４２を通して、第２の収納容器流路３７に流れる。そして、第２の収納容器流路３７を下方に向けて流れた空気は、第３の壁３５に設けられた空気吹き出し口４３を通して、発電室４９内に供給される。
【００４８】
一方、燃料電池セル２より排出される排ガスや、燃料電池セル２の上端部側で発電に使用されなかった燃料ガスを燃焼させることにより生じる排ガスは、第２の壁３９に設けられた排ガス流通口４４を通して第３の収納容器流路３８に流入する。そして、第３の収納容器流路３８を下方に向けて流れた排ガスは、排ガス収集口４５を通して排ガス収集部４６に流れた後、排ガス収集部４６に接続された排ガス排気管４７を通して収納容器３１の外部に排気される。
【００４９】
それゆえ、空気導入管３９より供給される空気は、空気導入部４０を流れる間に、排ガス収集部４６を流れる排ガスと熱交換され、第１の収納容器流路３６を流れる間に、第３の収納容器流路３８を流れる排ガスと熱交換され、第２の収納容器流路３７を流れる間に、発電室４９内の熱とで熱交換されることとなる。
【００５０】
なお、図７において、空気導入管３９の内部に排ガス排気管４７が位置するように設けた例を示しているが、排ガス排気管４７の内部に空気導入管３９が位置するように設けることもでき、さらには、空気導入管３９と排ガス排気管４７とは、それぞれ位置をずらして設けることもできる。
【００５１】
ここで、図７に示すモジュール３０においては、第３の収納容器流路３８のうち、第２の壁３８側に断熱材４８（図中において断熱材４８は斜線にて示している）が固着して配置されている。それにより、第２の収納容器流路３７を流れる空気と第３の収納容器流路３８を流れる排ガスとの熱交換を抑制することができ、第２の収納容器流路３７を流れる空気の温度が低下することを抑制できる。
【００５２】
それにより、燃料電池セル２に供給される空気の温度が低下することを抑制でき、高温の空気を燃料電池セル２に供給することができることから、発電効率の高いモジュール３０とすることができる。
【００５３】
なお、第３の収納容器流路３８に配置される断熱材４８は、好ましくは、セルスタック
３を構成する燃料電池セル２の配列方向に沿う側部の外形以上の大きさとすることが好ましい。それにより、第２の収納容器流路３７を流れる空気と第３の収納容器流路３８を流れる排ガスとの熱交換を効率よく抑制することができる。
【００５４】
また断熱材４８は、第３の収納容器流路３８以外にも、収納容器３１内の熱が極端に放熱され、燃料電池セル２（セルスタック３）の温度が低下して発電量が低減しないように適宜設けることができ、図７においては、第３の収納容器流路３８以外に、ガスタンク４の底部と、燃料電池セル２（セルスタック３）の両側面側と、収納容器３１の上壁（外壁３２）と改質器６との間とに設けている例を示している。
【００５５】
ここで、セルスタック３（燃料電池セル２）の両側面側に配置されている断熱材４８においては、空気吹き出し口３６に対応して、空気を燃料電池セル２側に流すための孔が設けられている。
【００５６】
そして空気吹き出し口４３より発電室４９内に供給された空気は、燃料電池セル２の下端側から上端部側に向けて流れることとなり、効率よく燃料電池セル２の発電を行なうことができる。
【００５７】
発電効率の向上したセルスタック装置１を上述のような収納容器の発電室４９内に収納することにより、発電効率の向上したモジュール３０とすることができる。
【００５８】
そして、本発明においては上述したモジュール３０とセルスタック装置１を動作させるための補機とを外装ケース内に収納することで、本発明の燃料電池装置とすることができる。なお、外装ケースは仕切部材により上下に区分し、上側の部屋にモジュール３０を収納し、下側の部屋にセルスタック装置１を動作させるための補機を収納することで、コンパクトな燃料電池装置とすることができる。
【００５９】
図８は、外装ケース内に図６で示した燃料電池モジュール３０と、燃料電池モジュール３０を動作させるための補機（図示せず）とを収納してなる本発明の燃料電池装置の一例を示す分解斜視図である。なお、図９においては一部構成を省略して示している。
【００６０】
図８に示す燃料電池装置５５は、支柱５６と外装板５７から構成される外装ケース内を仕切板５８により上下に区画し、その上方側を上述した燃料電池モジュール３０を収納するモジュール収納室５９とし、下方側を燃料電池モジュール３５を動作させるための補機を収納する補機収納室６０として構成されている。なお、補機収納室６０に収納する補機を省略して示している。
【００６１】
また、仕切板５８には、補機収納室６０の空気をモジュール収納室５９側に流すための空気流通口６１が設けられており、モジュール収納室５９を構成する外装板５７の一部に、モジュール収納室５９内の空気を排気するための排気口６２が設けられている。
【００６２】
このような燃料電池装置５５においては、上述したように、発電効率の向上した燃料電池モジュール３０をモジュール収納室５９に収納し、燃料電池モジュール３０を動作させるための補機を補機収納室６０に収納して構成されることにより、発電効率の向上した燃料電池装置５５とすることができる。
【００６３】
以上、本発明について詳細に説明したが、本発明は上述の実施の形態に限定されるものではなく、本発明の要旨を逸脱しない範囲内において、種々の変更、改良等が可能である。
【００６４】
例えば、くりぬき部をセル配列方向に沿って複数設けた例を示したが、燃料ガス供給管に近い側に設けられたくりぬき部の一端部を燃料ガス供給管に向けてもよい。それにより燃料ガス供給管に燃料ガスを容易に導くことができる。また、すべてのくりぬき部の一端を燃料ガス供給管に向けてもよい。それにより、さらに燃料ガス供給管に燃料ガスを供給しやすくなる。
【符号の説明】
【００６５】
１：セルスタック装置
２：燃料電池セル
３：セルスタック
４：ガスタンク
７、１５、１８：改質器
８：気化室
９：第１改質室
１０：昇温室
１１：原燃料供給管
１２：燃料ガス供給管
１４、２０：くりぬき部
１６、１９：第２改質室
３０：燃料電池モジュール
５５：燃料電池装置
【図１】
0005700978.tif 000002
【図２】
0005700978.tif 000003
【図３】
0005700978.tif 000004
【図４】
0005700978.tif 000005
【図５】
0005700978.tif 000006
【図６】
0005700978.tif 000007
【図７】
0005700978.tif 000008
【図８】
0005700978.tif 000009